(57)【特許請求の範囲】
【請求項１】
測定対象ガスの濃度を測定する分析器、ＣＰＵ、このＣＰＵの動作プログラムを記憶する記憶部および前記分析器からの出力を増幅する増幅器を備えた分析部と、ＣＰＵおよびこのＣＰＵの動作プログラムを記憶する記憶部を備えているとともに、測定レンジを使用者が任意複数に設定できるように構成され、かつ、前記分析部から離れた位置に配置されて通信線によって接続されたデータ処理部とからなるガス分析計において、データ処理部側で使用者によって設定された測定レンジおよび前記分析部の増幅器のゲインを自動的に切替える方法であって、
前記データ処理部のＣＰＵにおいて、測定レンジを切替える濃度値に対応する分析部の
分析器出力の値を逆算し、その値をゲイン切替ポイントとして分析部に設けた記憶部に転送し記憶させておき、ガス分析を行うとき、前記分析部に設けた記憶部に記憶されたゲイン切替ポイントと分析器の出力値との比較に基づき、前記分析部のＣＰＵが前記増幅器のゲインを切替えると共に、そのゲイン切替えをデータ処理部に通知し、これを受信したデータ処理部のＣＰＵが測定レンジを自動的に切替えることを特徴とするガス分析計の自動ゲイン切替方法。
【請求項２】
測定対象ガスの濃度を測定する分析器、ＣＰＵ、このＣＰＵの動作プログラムを記憶する記憶部および前記分析器からの出力を増幅する増幅器を備えた分析部と、ＣＰＵおよびこのＣＰＵの動作プログラムを記憶する記憶部を備えているとともに、測定レンジを使用者が任意複数に設定できるように構成され、かつ、前記分析部から離れた位置に配置されて通信線によって接続されたデータ処理部とからなるガス分析計において、
前記データ処理部のＣＰＵにおいて、測定レンジを切替える濃度値に対応する分析部の分析器出力の値を逆算し、その値をゲイン切替ポイントとして分析部に設けた記憶部に転送し記憶させておき、ガス分析を行うとき、前記分析部に設けた記憶部に記憶されたゲイン切替ポイントと分析器の出力値との比較に基づき、前記分析部のＣＰＵが前記増幅器のゲインを切替えると共に、そのゲイン切替えをデータ処理部に通知し、これを受信したデータ処理部のＣＰＵが測定レンジを自動的に切替えるように構成されていることを特徴とするガス分析計。
【発明の詳細な説明】
【０００１】
【発明の属する技術分野】
本発明は、ガス分析計の自動ゲイン切替方法およびガス分析計に関する。
【０００２】
【従来技術】
従来より、ガス分析計の設置条件を多様化し、そのレイアウトに自由度をもたせるために、またデータ処理部で複数の分析部のデータを集中監視するために、ガス分析計の分析部とデータ処理部を分離し、両者を通信線で接続していた。この場合、分析部におけるゲインの切替えは、操作に親しみやすいデータ処理部で演算した濃度値に基づき行う必要がある。
【０００３】
図３は従来のガス分析計２０の例を示すブロック図である。この図３においてガス分析計２０は、測定対象ガスの各成分濃度を測定する分析部２と、パソコン等のデータ処理部３と、両者を例えばＬＡＮによって接続する通信線４とからなっている。
【０００４】
分析部２は、ＣＰＵ５と、このＣＰＵ５を動作させるためのプログラムを書き込んだ不揮発性の記憶部６と、測定対象ガスの成分濃度を測定する分析器７と、各種センサ８と、これら分析器７およびセンサ８から入力されたアナログ測定信号を規定の増幅率（ゲイン）で増幅するアンプ９ａを内蔵してデジタル変換するＡＤ変換器９と、このＡＤ変換器９でデジタル変換された測定値データを通信線４を介してデータ処理部３に送信する通信部１０とを備えている。一方、データ処理部３は、少なくともＣＰＵ１１と、このＣＰＵ１１を動作させるためのプログラムを書き込んだ記憶部１２と、通信線４を介して分析部２から測定値データを受信する通信部１３とを有している。
【０００５】
図４は図３に示した従来のガス分析計２０を用いて自動レンジ切替えを行う方法を説明するための図である。前記ガス分析計２０は０〜２０００ｐｐｍの測定対象ガスの濃度値を測定するものであり、前記分析部２のＡＤ変換器９はそのアンプ９ａにおいて規定の二つの増幅率を有する第１，第２ゲインＧ1,Ｇ2 に適宜切替えて分析器７から入力したアナログ測定信号を増幅した後にデジタル変換する。
【０００６】
すなわち、アンプ９ａの増幅率を第１ゲインＧ1 に切替えた場合、アンプ９ａに０〜５００ｐｐｍ（横軸）の範囲で入力されたアナログ測定信号は０〜ＭＡＸ（縦軸）の範囲のデジタルの測定値データとして出力され、第２ゲインＧ2 に切替えた場合、０〜２０００ｐｐｍの範囲で入力されたアナログ測定信号を０〜ＭＡＸの範囲の測定値データとして出力される。
【０００７】
また、分析部２のＣＰＵ５は、記憶部６に予め記憶したプログラムによって、ＡＤ変換器９から入力されたデジタルの測定値データを、通信部１０から通信線４および通信部１３を介してデータ処理部３に送信すると共に、前記記憶部６に予め記録されたゲイン切替ポイント６ａ，６ｂを用いてアンプ９ａの増幅率を第１，第２ゲインＧ1,Ｇ2 に切替える。
【０００８】
すなわち、ＣＰＵ５がアンプ９ａの増幅率を第１ゲインＧ1 から第２ゲインＧ2 に切替えるポイント６ａは、第１ゲインＧ1 により出力する測定値データの最大値ＭＡＸの９０％の位置を指している。同様に、第２ゲインＧ2 から第１ゲインＧ1 に切替えるポイント６ｂは、第１ゲインＧ1 により出力する測定値データの最大値ＭＡＸの８０％の位置（第２ゲインＧ2 の出力２０％の位置）である。なお、上記ゲインＧ1,Ｇ2 の切替えは通信線４を介してデータ処理部３に通知される。
【０００９】
一方、データ処理部３のＣＰＵ１１は、その記憶部１２に記憶されたプログラムによって、前記測定値データをゼロ点、スパン点校正し、さらに、４次式等によって校正することにより濃度値を得る。さらに、データ処理部３のＣＰＵ１１は分析部２から通知されたゲインＧ1,Ｇ2 の切替え情報に基づいて、入力した測定値データに対してゲインＧ1,Ｇ2に合わせた定数を掛け算することにより、分析部２においてゲインＧ1,Ｇ2 が切替えられても測定値データを連続した値として得ることができる。
【００１０】
また、前記データ処理部３はガス分析計２０の使用者が任意の測定レンジを設定できるようにしており、本例ではそれぞれ２００，４００，８００，２０００ｐｐｍまで測定できる第１〜第４測定レンジＲ1,Ｒ2,Ｒ3,Ｒ4 を設定している。
【００１１】
前記ガス分析計２０を用いて、測定対象となるガスの濃度値が０ｐｐｍから２０００ｐｐｍまで上昇し、再び０ｐｐｍまで戻るように変化する場合に自動レンジ切替えによって、このガスの濃度値の変化を測定するときのガス分析計２０の動作を考慮すると、最初に選択される測定レンジは第１測定レンジＲ1 であると共に、分析部２において最初に選択されるゲインは第１ゲインＧ1 である。
【００１２】
次に、測定対象ガスの濃度値が、各測定レンジＲ1 〜Ｒ3 のフルスケールの９０％の値である１８０，３６０，７２０ｐｐｍに達するまで上昇したとき、ＣＰＵ１１は測定レンジＲ1 〜Ｒ3 を一つ上の測定レンジＲ2 〜Ｒ4 に切替え、逆に一つ下の測定レンジＲ1 〜Ｒ3 のフルスケールの８０％の値である１６０，３２０，６４０ｐｐｍを下回るまで降下したとき、ＣＰＵ１１は測定レンジＲ2 〜Ｒ4 を一つ下の測定レンジＲ1 〜Ｒ3 に切替えるように制御する。
【００１３】
【発明が解決しようとする課題】
ところが、上記の方法では、分析部２におけるアンプ９ａのゲインＧ1,Ｇ2 の切替ポイント６ａ，６ｂがハードウェアによって固定的に決められているので、データ処理部３の測定レンジと分析部２のゲイン切替ポイントとの相関関係が無い。つまり、データ処理部３が第２測定レンジＲ2 に設定され、かつ、アンプ９ａの増幅率が第１ゲインＧ1 であるときに、測定ガスの濃度値が３６０ｐｐｍを越えた場合、データ処理部３が第３測定レンジＲ3 に切替え制御されているにも係わらず、アンプ９ａの増幅率は第１ゲインＧ1 のままになることがあった。
【００１４】
そして、測定ガスの濃度値が更に上昇して４５０ｐｐｍに達したとき、測定レンジＲ3は変わることなくゲインだけが第２ゲインＧ2 に切り替わってしまう。逆に、測定値データが小さくなる場合で測定ガスの濃度値が４００ｐｐｍに達するまで降下したときも、測定レンジＲ3 は変わることなくゲインだけが第１ゲインＧ1 に切り替わってしまうことがあった。つまり、同一測定レンジＲ3 内であるのに、分析部２内で不本意にゲインＧ1,Ｇ2 のみが切り替わるため、測定レンジＲ3 の精度が不定になるだけでなく、ゲイン補正の僅かなズレが測定値データの連続性を損なうこともあり、測定値（濃度値）に対する信頼性を低下させることもあった。
【００１５】
そこで、同一測定レンジＲ1 〜Ｒ4 内では、分析部２においてゲインＧ1,Ｇ2 を切替えないようにすることが必要であるが、データ処理部３と分析部２を分離したガス分析計２０の場合、データ処理部３における測定レンジＲ1 〜Ｒ4 の切替えに同期させてアンプ９ａのゲインＧ1,Ｇ2 を切替えることは困難である。
【００１６】
すなわち、一旦データ処理部３に送信された測定値データを基に濃度値を算出し、この濃度値を監視して測定レンジＲ1 〜Ｒ4 の切替えを行う必要が生じたとき、従来の方法では、分析部２内のアンプ９ａのゲイン切替えを行なう命令をデータ処理部３から送信し、アンプ９ａのゲインＧ1,Ｇ2 が切り替わったことを確認してからデータ処理部３で測定レンジＲ1 〜Ｒ4 を切替えねばならないために、測定レンジＲ1 〜Ｒ4 の切替えに迅速性がなく操作性が悪くなる。また、測定値の変化が早いガスを測定対象とする場合には、測定レンジＲ1 〜Ｒ4 の切替えが遅れてしまい、測定レンジＲ1 〜Ｒ4 の切替えを終えた時点では、既に次の測定レンジＲ1 〜Ｒ4 に切替える必要があったり、再び元の測定レンジに戻さなければならなかったりする事態が生じることも考えられる。
【００１７】
逆に、ハードウェアにより決定されたゲインＧ1,Ｇ2 の切替ポイント６ａ，６ｂに合わせて測定レンジＲ1 〜Ｒ4 の切替ポイントを設定する場合は、測定レンジＲ1 〜Ｒ4 の設定に自由度がなくなり、例えば上述の例では必ず５００ｐｐｍの測定レンジＲ1 〜Ｒ4 を設ける必要が生じる。また、ハードウェアに合わせた測定レンジＲ1 〜Ｒ4 の設定を行った場合、ゲインＧ1,Ｇ2 および測定レンジＲ1 〜Ｒ4 の切替ポイントは必ずしも人間に分かりやすい値ではなく、中途半端な値になることも多かった。
【００１８】
本発明はこのような実情を考慮に入れてなされたものであって、分析部のゲインを高速に切替えられると共に、データ処理部の測定レンジ切替えとゲイン切替えを同期して行うことができるガス分析計の自動ゲイン切替方法及びガス分析計を提供することを目的としている。
【００１９】
【課題を解決するための手段】
本発明は上述の点を考慮に入れてなされたものであって、請求項１の発明は、測定対象ガスの濃度を測定する分析器、ＣＰＵ、このＣＰＵの動作プログラムを記憶する記憶部および前記分析器からの出力を増幅する増幅器を備えた分析部と、ＣＰＵおよびこのＣＰＵの動作プログラムを記憶する記憶部を備えているとともに、測定レンジを使用者が任意複数に設定できるように構成され、かつ、前記分析部から離れた位置に配置されて通信線によって接続されたデータ処理部とからなるガス分析計において、データ処理部側で使用者によって設定された測定レンジおよび前記分析部の増幅器のゲインを自動的に切替える方法であって、
前記データ処理部のＣＰＵにおいて、測定レンジを切替える濃度値に対応する分析部の
分析器出力の値を逆算し、その値をゲイン切替ポイントとして分析部に設けた記憶部に転送し記憶させておき、ガス分析を行うとき、前記分析部に設けた記憶部に記憶されたゲイン切替ポイントと分析器の出力値との比較に基づき、前記分析部のＣＰＵが前記増幅器のゲインを切替えると共に、そのゲイン切替えをデータ処理部に通知し、これを受信したデータ処理部のＣＰＵが測定レンジを自動的に切替えることを特徴としている。
【００２０】
また、請求項２の発明は、測定対象ガスの濃度を測定する分析器、ＣＰＵ、このＣＰＵの動作プログラムを記憶する記憶部および前記分析器からの出力を増幅する増幅器を備えた分析部と、ＣＰＵおよびこのＣＰＵの動作プログラムを記憶する記憶部を備えているとともに、測定レンジを使用者が任意複数に設定できるように構成され、かつ、前記分析部から離れた位置に配置されて通信線によって接続されたデータ処理部とからなるガス分析計において、
前記データ処理部のＣＰＵにおいて、測定レンジを切替える濃度値に対応する分析部の分析器出力の値を逆算し、その値をゲイン切替ポイントとして分析部に設けた記憶部に転送し記憶させておき、ガス分析を行うとき、前記分析部に設けた記憶部に記憶されたゲイン切替ポイントと分析器の出力値との比較に基づき、前記分析部のＣＰＵが前記増幅器のゲインを切替えると共に、そのゲイン切替えをデータ処理部に通知し、これを受信したデータ処理部のＣＰＵが測定レンジを自動的に切替えるように構成されていることを特徴としている。
【００２１】
前記分析部とデータ処理部とを通信線によって接続して、両者を分離してるので、ガス
分析計の設置条件の多様化が図れて設置レイアウトの自由度を増すことができるとともにデータ処理部で複数の分析部のデータを集中監視することができる。また、測定対象ガスの分析器からの出力を増幅する増幅器のゲイン切替えを、データ処理部から任意に設定することができるので、使用者にとって分かりやすい適切なポイントでゲイン切替えを行うことができるだけでなく、ゲイン切替えを測定レンジ切替えと同期して行うことができるので、使用者にとって扱いやすい。また、前記増幅器のゲイン切替えは分析部で行うことができるので、切替えを迅速に行うことができ、測定値の変化が早いガスを測定対象とする場合にも十分に対応できる。
【００２２】
【発明の実施の形態】
図１は本発明のガス分析計１の一例を示すブロック図であり、この図において、ガス分析計１は、測定対象ガスの分析部２と、データ処理部３と、両者を接続する通信線４とからなっている。なお、図１において図３と同一の符号を付した部材は同一または同等の部材であるので、その詳細な説明を省略する。なお、１４は分析部２内において、分析器７の出力信号を増幅するアンプ９ａのゲイン切替えポイントを記憶する記憶部である。
【００２３】
図２は図１に示したガス分析計１における測定レンジＲ1 〜Ｒ4 と分析器７の出力信号のゲインＧ1,Ｇ2 の切替えとの関係を説明するための図である。本例のガス分析計１は０〜２０００ｐｐｍの測定対象ガスの濃度値を測定するものであり、使用者がデータ処理部３によって任意の測定レンジを設定できるようにしている。なお、本例では説明を簡易とするために、各測定レンジＲ1 〜Ｒ4 の範囲を従来と同じにしているが、これらを自由に選択できることはいうまでもない。
【００２４】
本例のガス分析計１において、使用者が前記測定レンジＲ1 〜Ｒ4 の範囲を設定するときに、データ処理部３のＣＰＵ１１は先ず各測定レンジＲ1 〜Ｒ4 の範囲と、第１ゲインＧ1 を用いて測定できる最大濃度値とを比較する。そして、前記第１ゲインＧ1 を用いて測定できる最大濃度値以下で最大の測定範囲を有する第２測定レンジＲ2 と、それより大きな最小の測定範囲を有する第３測定レンジＲ3 の切替え時点で、アンプ９ａのゲインＧ1,Ｇ2 も切替える必要があることを確認することができる。
【００２５】
すなわち、本例では第１，２測定レンジＲ1,Ｒ2 に切替えた時は、アンプ９ａの増幅率を第１ゲインＧ1 とし、第３，４測定レンジＲ3,Ｒ4 に切替えた時はアンプ９ａの増幅率を第２ゲインＧ2 とするように、データ処理部３のＣＰＵ１１から分析部２のＣＰＵ５に切替え命令を与える。
【００２６】
また、ＣＰＵ１１は第２測定レンジＲ2 のフルスケールの例えば９０％と８０％にそれぞれ対応する濃度値（３６０ｐｐｍと３２０ｐｐｍ）からゼロ校正や、スパン校正をする前のゲイン増幅後の測定値をそれぞれ逆算する。そして、さらにゲイン増幅前の測定値、つまり分析器７の出力の値をそれぞれ逆算し、これらをそれぞれゲイン切替ポイント１４ａ，１４ｂとして分析部２に設けた記憶部１４に転送する。このゲイン切替ポイント１４ａ，１４ｂは本例のガス分析計１が後述する自動レンジ切替えを行う場合に用いるものである。
【００２７】
そして、例えば使用者が測定レンジＲ1 〜Ｒ4 を設定するときに、ＣＰＵ１１は設定した各測定レンジＲ1 〜Ｒ4 の精度を算出する。すなわち、各測定レンジＲ1 〜Ｒ4 のフルスケールと、使用するゲインＧ1,Ｇ2 に基づいて計算し、画面Ｍ等を介して使用者に通知する。このとき、使用者はよく使用する濃度範囲の精度が上がるように各測定レンジＲ1
〜Ｒ4 を決めることができる。
【００２８】
自動レンジ切替えを行なう場合、分析部２のＣＰＵ５は常時前記記憶部１４に記憶しておいた２つのゲイン切替ポイント１４ａ，１４ｂと分析器７の出力値を比較する。そして、第１ゲインＧ1 を使用している状態で分析器７の出力値が大きい方のゲイン切替ポイント１４ａ以上になった場合に第２ゲインＧ2 に切替える。一方、第２ゲインＧ2 を使用している状態で小さい方のゲイン切替ポイント１４ｂよりも小さくなった場合に第１ゲインＧ1 に切替えるように制御する。そして、各ゲインＧ1,Ｇ2 の切替えをした時はその旨をデータ処理部３に通知する。
【００２９】
また、分析部２のＣＰＵ５からのゲイン切替え通知を受信したデータ処理部３側のＣＰＵ１１は、これに伴って測定レンジＲ1 〜Ｒ4 を切替えることにより、ゲインＧ1,Ｇ2 の切替えと測定レンジＲ1 〜Ｒ4 の切替えを同期して行うことができる。
【００３０】
以下、分析計１を用いて自動レンジ切替えを行う場合について、測定対象となるガスの濃度値が０ｐｐｍから２０００ｐｐｍまで上昇し、再び０ｐｐｍまで戻るように変化する場合のガス分析計１の動作を例示して説明する。この場合、図２の矢印Ｖ1 に示すように、最初に選択される測定範囲は第１測定レンジＲ1 であると共に、分析部２において最初に選択される増幅率は第１ゲインＧ1 である。
【００３１】
次に、測定ガスの濃度値が第１測定レンジＲ1 のフルスケールの９０％の値である１８０ｐｐｍにまで上昇したとき、ＣＰＵ１１は測定範囲を一つ上の測定レンジＲ2 （矢印Ｖ2 ）に切替え制御する。また、測定ガスの濃度値が第２測定レンジＲ2 のフルスケールの９０％の値である３６０ｐｐｍに達する頃には、ＣＰＵ５が第２ゲインＧ2 に切替えたことをＣＰＵ１１に通知するので、ＣＰＵ１１はこれに同期させて測定範囲を第３測定レンジＲ3 （矢印Ｖ3 ）に切替え制御する。さらに、測定ガスの濃度値が第３測定レンジＲ3の９０％の値である７２０ｐｐｍに達するまで上昇した時点で、第４測定レンジＲ4 （矢印Ｖ4 ）に切替え制御する。
【００３２】
同様に、測定ガスの濃度値がその時に使用している測定レンジＲ2 〜Ｒ4 の一つ下の測定レンジＲ1 〜Ｒ3 のフルスケールの８０％の値である１６０，３２０，６４０ｐｐｍを下回るまで降下したとき、ＣＰＵ１１は測定レンジＲ2 〜Ｒ4 を一つ下の測定レンジＲ1〜Ｒ3 に切替え制御する。この場合も濃度値が３２０ｐｐｍ以下になる時点で、ＣＰＵ５からアンプ９ａの増幅率を第１ゲインＧ1 に切替えたことが通知されるので、この通知を受信したときにＣＰＵ１１は第３測定レンジＲ3 を第２測定レンジＲ2 に切替えるように制御する。
【００３３】
つまり、上記の本発明のガス分析計の自動ゲイン切替方法によれば、分析部２内でのゲインＧ1,Ｇ2 の切替ポイント１４ａ，１４ｂをデータ処理部３で使用者が設定する測定レンジＲ1 〜Ｒ4 の設定にあわせて設定しているので、データ処理部３内の測定レンジＲ1〜Ｒ4 の切替えと分析部２内のゲイン切替えとを同期して行うことができる。そして、同一測定レンジＲ1 〜Ｒ4 内ではゲイン切替えが一切行われないので、測定した濃度値の精度を確定することができるだけでなく、測定した濃度値の直線性を確保できる。
【００３４】
加えて、分析部２内のアンプ９ａのゲイン切替えは、同分析部２内にあるＣＰＵ５によって行うことにより、ゲインＧ1,Ｇ2 の切替えに際して通信線４を介してデータ処理部３側のＣＰＵ１１に切替え判断を仰ぐ場合に比べて飛躍的に切替え速度が向上し、迅速なゲイン切替えを行うことができる。すなわち、濃度値の変化が激しいガスを測定対象とする場合であってもゲイン切替えや測定レンジＲ1 〜Ｒ4 の切替えに遅れが生じることがなくなる。
【００３５】
なお、本例では説明を簡略化するために、ＡＤ変換器９のアナログ入力部に２つのゲインＧ1,Ｇ2 を切替えることができるアンプ９ａを設けた例を示しているが、分析器７から入力されるアナログ測定信号を増幅するアンプ９ａをＡＤ変換器９と別に設けてもよいことはいうまでもない。また、アンプ９ａの増幅率は２種類だけでなく、３種類以上あってもよく、その場合、各ゲイン間の切替ポイントを２つずつ設定できるようにすればよい。同様に、測定レンジＲ1 〜Ｒ4 の数も４つに限られるものではないことはいうまでもない。
【００３６】
さらに、アンプ９ａのゲイン切替えは測定レンジＲ1 〜Ｒ4 のフルスケールの８０％と９０％に限られるものではなく、適宜に変更してもよい。加えて、自動レンジ切替えにおける測定レンジＲ1 〜Ｒ4 の切替ポイントも使用者が任意に設定できるようにしてもよい。
【００３７】
【発明の効果】
以上説明したように、本発明のガス分析計の自動ゲイン切替方法によれば、分析部とデータ処理部を分離しているため分析計設置のレイアウトの自由度を増すことができるとともに、データ処理部で複数の分析部のデータを集中監視することができる。そのうえ、ハードウェアの構成によって決まる規定のゲインにとらわれずにデータ処理部で測定レンジを任意に決定できるので、使用者に親しみやすくガス分析に用いやすい測定レンジに設定することができる。しかも、データ処理部での測定レンジの設定に合わせて分析部でのゲインの切替ポイントを設定でき、レンジの切替えとゲインの切替えとを同期して行なうことができる。
【００３８】
加えて、ガス分析を行うときは、分析部の記憶部に記憶されているゲイン切替ポイントに基づいて、分析器からの入力を増幅するアンプのゲインを分析部内のＣＰＵによって随時切替えることができるので、測定値の変化に迅速に応答できるだけでなく、同一測定レンジ内でゲインを切替えてしまうことがなくなる。
【図面の簡単な説明】
【図１】本発明のガス分析計の一例を示す図である。
【図２】前記ガス分析計の自動ゲイン切替方法を説明するための図である。
【図３】従来のガス分析計の例を示す図である。
【図４】従来のガス分析計の自動ゲイン切替方法を説明するための図である。
【符号の説明】
１…ガス分析計、２…分析部、３…データ処理部、４…通信線、５，１１…ＣＰＵ、６，１２，１４…記憶部、７…分析器、９ａ…アンプ、１４ａ，１４ｂ…ゲイン切替ポイント、Ｇ1,Ｇ2 …ゲイン、Ｒ1 〜Ｒ4 …測定レンジ。
【図１】
0003571883.tif 000002
【図２】
0003571883.tif 000003
【図３】
0003571883.tif 000004
【図４】
0003571883.tif 000005